(57)【要約】    【課題】  収納及び展開を円滑に行うことが可能な構造を備えつつ、強度を高めることができ、故障の原因を低減することができる。    【解決手段】  レッグレスト部材２４及び／又はフットレスト部材２６の下方には、レッグレスト部材２４及びフットレスト部材２６を支持する支持部材２８が備えられ、支持部材２８は、レッグレスト部材２４及びフットレスト部材２６に連動して収納可能であり、レッグレスト部材２４及びフットレスト部材２６に連動して展開可能である。【選択図】  図２
2005323839.tif 000002
【特許請求の範囲】
【請求項１】
座席に収納可能であり、該座席の前方に展開可能であるレッグレスト部材と、該レッグレストの前側に位置し、該レッグレスト部材に連動して収納可能であり、該レッグレスト部材に連動して展開可能であるフットレスト部材とを備えたオットマン装置において、
前記レッグレスト部材及び／又は前記フットレスト部材の下方には、前記レッグレスト部材及び前記フットレスト部材を支持する支持部材が備えられ、
該支持部材は、前記レッグレスト部材及び前記フットレスト部材に連動して収納可能であり、前記レッグレスト部材及び前記フットレスト部材に連動して展開可能であることを特徴とするオットマン装置。
【請求項２】
前記レッグレスト部材と前記フットレスト部材との間に備えられ、互いを連結する第１回転軸と、
該第１回転軸に備えられ、該第１回転軸と共に回転可能な第１回転ギアと、
該第１回転ギアに係合し、該第１回転ギアと共に回転可能な第２回転ギアと、
該第２回転ギアを備え、前記レッグレスト部材又は前記フットレスト部材のいずれか一方の下面に回転可能に備えられた第２回転軸と、
該第２回転軸に備えられ、該第２回転軸と共に回転可能な前記支持部材とを備えていることを特徴とする請求項１記載のオットマン装置。
【請求項３】
前記第１回転ギアと前記第２回転ギアとは、前記レッグレスト部材及び前記フットレスト部材とが展開された際に、前記支持部材を垂直方向に展開できるギア比によって係合されていることを特徴とする請求項２記載のオットマン装置。
【発明の詳細な説明】
【技術分野】
【０００１】
本発明は座席に収納可能であり、座席の前方に展開可能であるオットマン装置に関する。
【背景技術】
【０００２】
従来のオットマン装置としては、特許文献１及び２に記載されたものが知られている。それらのオットマン装置では、座席の前側の下面にアーム部材が備えられている。アーム部材は、座席の前側の下面に収納可能となっており、また、座席の前方に展開可能となっている。また、アーム部材の先端側ではレッグレスト部材が備えられている。レッグレスト部材は、アーム部材に連動して座席の前側の下面に収納可能となっており、アーム部材に連動して座席の前方に展開可能となっている。さらに、レッグレスト部材の先端側ではフットレスト部材が備えられている。フットレスト部材は、アーム部材及びレッグレスト部材の収納に連動して座席の前側の下面に収納可能となっており、また、アーム部材及びレッグレスト部材の展開に連動して座席の前方に展開可能となっている。このため、そのオットマン装置において、使用者は必要に応じて自身の足をレッグレスト部材及びフットレスト部材の上に載置することができる。また、使用者が不必要とする場合は、座席の前側の下面に収納することができる。
【特許文献１】特許第３３２３９８９号明細書
【特許文献２】登録実用新案第２５５１４９２号公報
【発明の開示】
【発明が解決しようとする課題】
【０００３】
しかし、上記記載のオットマン装置では、アーム部材、レッグレスト部材及びフットレスト部材を展開した状態で使用者の足が載置された際、十分な強度を確保しているとはいい難い。
【０００４】
すなわち、そのオットマン装置では、アーム部材、レッグレスト部材及びフットレスト部材の展開状態で強度を維持しなければならない。その際、オットマン装置では、アーム部材からレッグレスト部材を介してフットレスト部材に至るにしたがって、大きく撓むこととなる。また、そのオットマン装置では、使用者の足が載置されることによって、一層、大きく撓むこととなる。このため、オットマン装置に大きな負荷が掛かることとなり、故障の原因に繋がっている。
【０００５】
本発明は、上記従来の実情に鑑みてなされたものであって、収納及び展開を円滑に行うことが可能な構造を備えつつ、強度を高めることができ、故障の原因を低減可能なオットマン装置を提供することを解決すべき課題としている。
【課題を解決するための手段】
【０００６】
上記課題を解決するために本発明において講じた技術的手段は、請求項１に記載の様に、座席に収納可能であり、該座席の前方に展開可能であるレッグレスト部材と、該レッグレストの前側に位置し、該レッグレスト部材に連動して収納可能であり、該レッグレスト部材に連動して展開可能であるフットレスト部材とを備えたオットマン装置において、前記レッグレスト部材及び／又は前記フットレスト部材の下方には、前記レッグレスト部材及び前記フットレスト部材を支持する支持部材が備えられ、該支持部材は、前記レッグレスト部材及び前記フットレスト部材に連動して収納可能であり、前記レッグレスト部材及び前記フットレスト部材に連動して展開可能であることを特徴としている。
【０００７】
また、本発明において講じた技術的手段は、請求項２に記載の様に、レッグレスト部材とフットレスト部材との間に備えられ、互いを連結する第１回転軸と、第１回転軸に備えられ、第１回転軸と共に回転可能な第１回転ギアと、第１回転ギアに係合し、第１回転ギアと共に回転可能な第２回転ギアと、第２回転ギアを備え、レッグレスト部材又はフットレスト部材のいずれか一方の下面に回転可能に備えられた第２回転軸と、第２回転軸に備えられ、第２回転軸と共に回転可能な支持部材とを備えていることを特徴としている。
【０００８】
さらに、本発明において講じた技術的手段は、請求項３に記載の様に、第１回転ギアと第２回転ギアとは、レッグレスト部材及びフットレスト部材とが展開された際に、支持部材を垂直方向に展開できるギア比によって係合されていることを特徴としている。
【０００９】
例えば、第１回転ギアと第２回転ギアとのギア比は概ね２対１であることが好ましい。
【発明の効果】
【００１０】
請求項１に記載の発明によれば、レッグレスト部材及び／又はフットレスト部材の下方を支持する支持部材によって、展開されたレッグレスト部材及びフットレスト部材を支持することができるため、強度を高めることができる。こうであれば、そのオットマン装置では、レッグレスト部材からフットレスト部材に至るしたがって、大きく撓むことを防ぐことができる。特に、そのオットマン装置では、使用者の足が載置された際、一層、大きく撓むことを防ぐことができる。このため、オットマン装置に大きな負荷が掛かっても、故障の原因を低減することができる。
【００１１】
また、そのオットマン装置において、支持部材は、レッグレスト部材及びフットレスト部材に連動して収納可能であり、レッグレスト部材及びフットレスト部材に連動して展開可能であるため、収納及び展開を円滑に行うことができる。
【００１２】
したがって、本発明のオットマン装置では、展開及び収納を円滑に行うことが可能な構造を備えつつ、強度を高めることができ、故障の原因を低減することができる。
【００１３】
また、請求項２に記載の発明によれば、レッグレスト部材とフットレスト部材との連動よって第１回転軸が回転し、第１回転軸の回転によって第１回転ギアが回転する。第１回転ギアには第２回転ギアが係合されており、第１回転ギアの回転に連動して第２回転ギアが回転する。第２回転ギアは第２回転軸に備えられているため、第２回転ギアの回転によって第２回転軸が回転する。そして、第２回転軸には支柱部材が備えられている、支柱部材が第２回転軸と共に回転することとなる。このため、レッグレスト部材とフットレスト部材とが展開されれば支柱部材も展開されることとなり、レッグレスト部材とフットレスト部材とが収納されれば支柱部材も収納されることとなる。
【００１４】
その際、請求項３に記載の発明によれば、レッグレスト部材及びフットレスト部材を展開した際、第１回転ギアと第２回転ギアとのギア比によって、確実に支持部材を垂直方向に展開できる。このため、レッグレスト部材及びフットレスト部材が様々な傾斜角で展開しても、確実に支持部材がそれらを支持することとなる。例えば、レッグレスト部材とフットレスト部材とが水平方向に展開する場合、第１回転ギアと第２回転ギアとのギア比が概ね２対１であれば、支柱部材を垂直方向に展開することができる。なお、レッグレスト部材及びフットレスト部材が様々な傾斜角で傾斜する場合、第１回転ギアと第２回転ギアとのギア比はその条件に従って変更されることとなる。
【発明を実施するための最良の形態】
【００１５】
以下、本発明を実施するための最良の形態について、実施形態を参照しつつ図面を基に説明する。
【００１６】
（実施形態）
実施形態のオットマン装置２０は、図１に示すように、シートバック部材１０ａとシートクッション部材１０ｂとを備えた座席としてのシート装置１０において、シートクッション部材１０ａの前側の下部に折り畳んだ状態で収納されている。
【００１７】
図２に示すように、オットマン装置２０には、シートクッション部材１０ｂ内に一端を係合するＸ型アーム部材２２が備えられており、Ｘ型アーム部材２２の他端に係合するレッグレスト部材２４が備えられており、レッグレスト部材２４に係合するフットレスト部材２６が備えられている。
【００１８】
Ｘ型アーム部材２２は一端側に駆動ギア２２ａを有しており、駆動ギア２２ａはシートクッション部材１０ａ内に取り付けられた駆動モータＭによって回動可能に係合している。駆動モータＭは、図示しない制御装置を介して図示しない外部スイッチに繋がっている。
【００１９】
Ｘ型アーム部材２２の他端側では、レッグレスト部材２４が回動可能に係合されている。レッグレスト部材２４は、下面に図示しないフレームを有しており、フレームの上面に位置する図示しないクッションを有している。
【００２０】
レッグレスト部材２４のフレームの一端側には、図３に示すように、フランジ部材２４ａが突出しており、フランジ部材２４ａに第１回転軸２５が回転可能に固定されている。第１回転軸２５には、他のフランジ部材２６ａが固定されており、そのフランジ部材２６ａはフットレスト部材２６の他端に固定されている。このため、フットレスト部材２６の展開に伴って第１回転軸２５が回転可能になっている。こうして、第１回転軸２５は、レッグレスト部材２４とフットレスト部材２６との間に備えられ、互いを連結している。なお、フットレスト部材２６は、下面に図示しないフレームを有しており、フレームの上面に位置する図示しないクッションを有している。
【００２１】
第１回転軸２５には第１回転ギア２５ａが固定されている。このため、第１回転軸２５と共に第１回転ギア２５ａが回転可能になっている。第１回転ギア２５ａには第２回転ギア２７ａが係合しており、第２回転ギア２７ａは第２回転軸２７に固定されている。このため、第１回転ギア２５ａの回転と共に第２回転ギア２７ａが回転可能になっている。第２回転ギア２７ａは第２回転軸２７に固定されており、第２回転軸２７はレッグレスト部材２４の下面から突出するフランジ部材２４ｂに回転可能に係合している。このため、第２回転ギア２７ａの回転と共に第２回転軸２７が回転可能になっている。
【００２２】
第２回転軸２７には棒状の支持部材２８の一端が固定されており、第２回転軸２７の回転と共に支持部材２８が回転可能になっている。その際、支持部材２８は、第１回転ギアと第２回転ギアとのギア比によって、レッグレスト部材及びフットレスト部材とが展開された際に垂直方向に展開できるようになっている。
【００２３】
ここで、第２回転軸２７は、展開した状態のフットレスト部材２６の下面に位置させて、上述同様に、フランジ部材２４ｂ、第２回転ギア２７ａ及び支持部材２８を備えることも可能である。
【００２４】
以上のような構成からなるオットマン装置２０では、フットレスト部材２６が回転することによって、第１回転軸２５が回転することとなる。第１回転軸２５が回転すれば、第１回転ギア２５ａが回転することとなる。こうして第１回転ギア２５ａの回転と共に第２回転ギア２７ａも回転することとなる。第２回転ギア２７ａが回転すれば第２回転軸２７が回転することとなり、第２回転軸２７が回転すれば支持部材２８が回転することとなる。
【００２５】
このようにして、レッグレスト部材２４に対してフットレスト部材２６が回転することによって、レッグレスト部材２４及びフットレスト部材２６が延在することとなる。その際、支持部材２８は垂直方向に延在することとなる。こうして、実施形態のオットマン装置２０では、図４に示すように、レッグレスト部材２４、フットレスト部材２６及び支持部材２８が展開することとなる。また、レッグレスト部材２４、フットレスト部材２６及び支持部材２８が収納される場合は、上述と逆の作用を奏することとなる。
【００２６】
このため、そのオットマン装置２０では、レッグレスト部材２４及びフットレスト部材２６の下方を支持する支持部材２８によって、展開されたレッグレスト部材２４及びフットレスト部材２６を支持することができるため、強度を高めることができる。こうであれば、Ｘ型アーム部材２２からレッグレスト部材２４を介してフットレスト部材２６に至るしたがって、大きく撓むことを防ぐことができる。特に、そのオットマン装置２０では、使用者の足が載置された際、一層、大きく撓むことを防ぐことができる。このため、オットマン装置２０に大きな負荷が掛かっても、故障の原因を低減することができる。
【００２７】
また、そのオットマン装置２０において、支持部材２８は、レッグレスト部材２４及びフットレスト部材２６に連動して収納可能であり、レッグレスト部２４材及びフットレスト部材２６に連動して展開可能であるため、収納及び展開を円滑に行うことができる。
【００２８】
したがって、実施形態のオットマン装置２０では、展開及び収納を円滑に行うことが可能な構造を備えつつ、強度を高めることができ、故障の原因を低減することができる。
【００２９】
また、実施形態のオットマン装置２０では、レッグレスト部材２４及びフットレスト部材２６を展開した際、第１回転ギア２５ａと第２回転ギア２７ａとのギア比によって、確実に支持部材２８を垂直方向に展開できる。このため、レッグレスト部材２４及びフットレスト部材２６が様々な傾斜角で展開しても、確実に支持部材がそれらを支持することとなる。
【００３０】
なお、このようなオットマン装置２０では、図示しない外部スイッチを使用者が操作することによって、自動で展開されたり収納されたりすることが可能になっている。
【図面の簡単な説明】
【００３１】
【図１】実施形態に係り、シート装置の全体側面図である。
【図２】実施形態に係り、オットマン装置の全体側面図である。
【図３】実施形態に係り、シート装置の拡大側面図である。
【図４】実施形態に係り、シート装置の全体側面図である。
【符号の説明】
【００３２】
１０…座席（１０…シート装置）
２４…レッグレスト部材
２６…フットレスト部材
２０…オットマン装置
２８…支持部材
２５…第１回転軸
２５ａ…第１回転ギア
２７ａ…第２回転ギア
２７…第２回転軸
【図１】
2005323839.tif 000003
【図２】
2005323839.tif 000004
【図３】
2005323839.tif 000005
【図４】
2005323839.tif 000006